(57)【要約】【課題】  発信側で相手側の情報転送能力を判定して発呼を行うことができるＩＳＤＮ通信システム及びＩＳＤＮ通信方法の提供を提供。【解決手段】  非制限ディジタル情報又は音声情報の情報転送能力を指定した発呼を行う機能を持つ発信側端末11と、自己の情報転送能力に対応した発呼に対して応答を行う機能を備える受信側端末12と、この発信側端末12と受信側端末11間とに設けられたＩＳＤＮ網20を備えるＩＳＤＮ通信システムにおいて、発信側端末11が、指定した情報転送能力による発呼に対して受信側端末からの通知53を識別し、この通知53が前記指定した情報転送能力に対応していない場合、情報転送能力を切り替えて受信側端末12に対する発呼を行うと共に、該発呼により相手側端末12と通信が確立したときに該通信が確立した情報転送能力を相手側端末の電話番号と共にテーブル40に格納するもの。【選択図】図１
2005065041.tif 000002
【特許請求の範囲】
【請求項１】
少なくとも非制限ディジタル情報又は音声情報の情報転送能力を指定した発呼を行う機能を持つ発信側端末と、自己の情報転送能力に対応した発呼に対して応答を行う機能を備える受信側端末と、前記発信側端末と受信側端末間とに設けられたＩＳＤＮ網を備えるＩＳＤＮ通信システムにおいて、前記発信側端末が、指定した情報転送能力による発呼に対して受信側端末からの応答を識別し、この識別した結果が前記指定した情報転送能力に対応していない場合、情報転送能力を切り替えて受信側端末に対する発呼を行う機能と、該発呼により相手側端末と通信が確立したときに該通信が確立した情報転送能力を相手側端末の電話番号と共に格納する機能と、再度発呼を行う場合に前記格納された情報転送能力による発呼を行う機能とを備えることを特徴とするＩＳＤＮ通信システム。
【請求項２】
前記ＩＳＤＮ網が交換局を含み、発信側端末が、交換局からの指定した情報転送能力による発呼に対して受信側端末からの応答が所定時間内にない事の通知を基に、相手側端末が指定した情報転送能力に対応していないと識別することを特徴とする請求項１記載のＩＳＤＮ通信システム。
【請求項３】
少なくとも非制限ディジタル情報又は音声情報の情報転送能力を指定した発呼を行う機能を持つ発信側端末と、自己の情報転送能力に対応した発呼に対して応答を行う機能を備える受信側端末と、前記発信側端末と受信側端末間とに設けられたＩＳＤＮ網を備えるＩＳＤＮ通信システムにおける通信方法であって、発信側端末が、情報転送能力を指定した発呼を相手側端末に行い、相手側端末が前記指定した情報転送能力に対して対応していない事を識別したとき、情報転送能力を切り替えて受信側端末に対する発呼を行うと共に、該発呼により相手側端末と通信が確立したときに該通信が確立した情報転送能力を相手側端末の電話番号と共に格納し、再度発呼を行う場合に前記格納された情報転送能力による発呼を行うことを特徴とするＩＳＤＮ通信方法。
【請求項４】
前記ＩＳＤＮ網が交換局を含み、発信側端末が、交換局からの指定した情報転送能力による発呼に対して受信側端末からの応答が所定時間内にない事の通知を基に、相手側端末が指定した情報転送能力に対応していないと識別することを特徴とする請求項３記載のＩＳＤＮ通信方法。
【発明の詳細な説明】
【技術分野】
【０００１】
本発明は、ＩＳＤＮ網を介してＩＳＤＮ機器間の通信を行うＩＳＤＮ通信システム及びＩＳＤＮ通信方法に係り、特に相手側のＩＳＤＮ機器の伝達能力を識別して通信を行うことができるＩＳＤＮ通信システム及びＩＳＤＮ通信方法に関する。
【背景技術】
【０００２】
一般にＩＳＤＮ通信システムは、同一のネットワークで音声及び非音声などの通信サービスを行うものであり、ＩＳＤＮ機器間で、音声間の通話や非音声間のデータ通信を行うことが知られている。このＩＳＤＮ通信システムにおける相手機器への発呼は、呼制御を行うための情報であるメッセージを送信し、このメッセージに含まれる情報転送能力（音声情報、非制限ディジタル情報、3.1KHzオーディオディジタル情報）を相手側が認識することによって起動される。
【０００３】
このため従来技術によるＩＳＤＮ通信システムは、例えば発信側が非制限ディジタル情報であるとのメッセージを付加して相手側に発呼したにもかかわらず、相手のＩＳＤＮ機器が音声情報しか対応していない場合、発信側にとっては相手との通信が不能であった。
【０００４】
この通信が不能になることを防止する技術が下記特許文献１に記載されている。この文献には、ディジタル局線又はアナログ局線から発呼を行うことができる回線交換機において、ディジタル局線から情報転送能力（非制限ディジタル情報）を指定した発呼があった際には非制限ディジタル情報を選択したディジタル局線からの発呼を行い、情報転送能力が指定されない発呼、即ちアナログ局線から発呼があった際には、まずアナログ局線の空き状態を調べ、空いている場合にはアナログ局線から発呼を行い、アナログ局線が空いていない場合にはディジタル局線に情報転送能力を音声情報を指定して発呼を行うことが記載されている。
【特許文献１】特開平６−２４４９６４号公報
【発明の開示】
【発明が解決しようとする課題】
【０００５】
前述の従来技術は、発呼側の指定が非制限ディジタル情報の場合にはディジタル発信を行い、情報転送能力が指定されない発呼（音声情報）の場合はアナログ局線又は転送能力を音声に指定した非制限ディジタル情報による発呼を行うものであって、非制限ディジタル情報を指定しての発呼によって相手が応答しない場合は、手作業によって音声情報を指定して再度の発呼を試みる必要があると言う不具合があった。
【０００６】
本発明の目的は、前述の従来技術による不具合を除去することであり、発信側で相手側の情報転送能力を判定し、該認定した情報転送能力に応じた発呼を行うことができるＩＳＤＮ通信システム及びＩＳＤＮ通信方法を提供することである。
【課題を解決するための手段】
【０００７】
前記目的を達成するため本発明は、少なくとも非制限ディジタル情報又は音声情報の情報転送能力を指定した発呼を行う機能を持つ発信側端末と、自己の情報転送能力に対応した発呼に対して応答を行う機能を備える受信側端末と、前記発信側端末と受信側端末間とに設けられたＩＳＤＮ網を備えるＩＳＤＮ通信システムにおいて、前記発信側端末が、指定した情報転送能力による発呼に対して受信側端末からの応答を識別し、この識別した結果が前記指定した情報転送能力に対応していない場合、情報転送能力を切り替えて受信側端末に対する発呼を行う機能と、該発呼により相手側端末と通信が確立したときに該通信が確立した情報転送能力を相手側端末の電話番号と共に格納する機能と再度発呼を行う場合に前記格納された情報転送能力による発呼を行う機能とを備えることを備えることを第１の特徴とし、このＩＳＤＮ通信システムにおいて、前記ＩＳＤＮ網が交換局を含み、発信側端末が、交換局からの指定した情報転送能力による発呼に対して受信側端末からの応答が所定時間内にない事の通知を基に、相手側端末が指定した情報転送能力に対応していないと識別することを第２の特徴とする。
【０００８】
更に本発明は、少なくとも非制限ディジタル情報又は音声情報の情報転送能力を指定した発呼を行う機能を持つ発信側端末と、自己の情報転送能力に対応した発呼に対して応答を行う機能を備える受信側端末と、前記発信側端末と受信側端末間とに設けられたＩＳＤＮ網を備えるＩＳＤＮ通信システムにおける通信方法において、発信側端末が、情報転送能力を指定した発呼を相手側端末に行い、相手側端末が前記指定した情報転送能力に対して対応していない事を識別したとき、情報転送能力を切り替えて受信側端末に対する発呼を行うと共に、該発呼により相手側端末と通信が確立したときに該通信が確立した情報転送能力を相手側端末の電話番号と共に格納し、再度発呼を行う場合に前記格納された情報転送能力による発呼を行うことを第３の特徴とし、このＩＳＤＮ通信方法において、前記ＩＳＤＮ網が交換局を含み、発信側端末が、交換局からの指定した情報転送能力による発呼に対して受信側端末からの応答が所定時間内にない事の通知を基に、相手側端末が指定した情報転送能力に対応していないと識別することを第４の特徴とする。
【発明の効果】
【０００９】
本システムによるＩＳＤＮ通信システム及びＩＳＤＮ通信方法は、情報転送能力を指定した発呼を行い、当該発呼に対する応答が所定時間内にない場合、他の情報転送能力を指定した発呼を試みると共に、通信が確立した発呼に対応した情報転送能力を相手電話番号と共に格納し、次回の発呼に参照して発呼することによって、発信者が相手の情報転送能力を意識することなく、発呼を行うことができる。
【発明を実施するための最良の形態】
【００１０】
以下、本発明によるＩＳＤＮ通信方法を適用したＩＳＤＮ通信システムの一実施形態を図面を参照して詳細に説明する。
【００１１】
図１は、本実施形態によるＩＳＤＮ通信システムの全体構成を示す図、図２は本実施形態による通信経緯を説明するための図である。
【００１２】
本実施形態によるＩＳＤＮ通信システムは、図１に示す如く、音声情報又は非制限ディジタル情報又は3.1KHzオーディオディジタル情報かの情報転送能力を指定するＩＳＤＮ機器である送信側端末１１と、該送信側端末１１からの発呼を公衆通信網であるＩＳＤＮ網２０を介して受信するＩＳＤＮ機器である受信側端末１２とから構成される。また前記送信側端末１１の操作者を発信者３０、受信側端末１２側の操作者を受信者３１と呼び、前記ＩＳＤＮ網２０には交換局２１を含むものとする。
【００１３】
前記送信側端末１１は、情報転送能力（音声情報又は非制限ディジタル情報又は3.1KHzオーディオディジタル情報）を指定する機能と、受信側端末１２からの応答信号を識別する伝達能力機能と、その相手側からの応答を格納する機能とを備える、前記情報転送能力を指定する機能で指定する音声情報は通常の人間間の音声による会話を行う際に使用され、同非制限ディジタル情報は発信側が送出した情報のビット列をネットワークがなにも加工しない状態（ビットトランスペアレント）で着信側に送出する際に使用され、3.1KHzオーディオディジタル情報は主にモデムを介して3.1KHz帯域でのデータ通信を保証する際に使用される。
【００１４】
また前記相手側からの応答を格納する機能は、発信先である相手側電話番号と、該相手側電話番号に対応して相手側の機器の情報転送能力を格納した相手側能力格納テーブル４０を設けることによって達成され、例えば該テーブル４０には、相手番号「03-5555-6666」の機器が「非制限ディジタル情報」、相手番号「065-444-5555」の機器が「音声情報」、相手番号「03-896-9875」の機器が「非制限ディジタル情報」であることを格納するものであり、初期状態においては前記情報は格納されていないものとする。
【００１５】
また本実施形態においては、受信側端末１２が、通話専用のＩＳＤＮ対応の電話機しか接続されていないことに加え、本来は非制限ディジタル情報を受信する機能があるも係わらず、何等かの不具合、例えば受信側端末１２がパーソナルコンピュータによって構成され、応答用のソフトウェアが起動していない等の不具合が生じ、音声情報にしか応答しない場合も含むものとする。
【００１６】
さて、この様に構成されたＩＳＤＮ通信システムは、図２に示す如く、送信側端末１１が非制限ディジタル情報を指定した情報転送能力を含むメッセージを用いて発呼５０を行い、これを受けた交換局２１が指定された非制限ディジタル情報を用いて受信側端末１２に対して発呼５１を行い、このとき受信側端末１２が音声信号にしか対応していないため前記発呼５１に対する応答５２を所定時間内に行わないことを交換局２１が検出し、この非応答通知５３を送信側端末１１に送信すると、これを受信した送信側端末１１が情報転送能力を非制限ディジタル情報に切り替えて再度の発呼５４を行う。
【００１７】
次いで本システムは、前記非制限ディジタル情報による発呼５４により交換局２１が非制限ディジタル情報を指定した発呼５５を受信端末１２に対して送信し、該受信端末１２が応答５６を発し、これを応答５７として送信側端末１１に返送した場合、送信側端末１１が非制限ディジタル情報による受信側端末１２間でのデータ送受信を通信５８として開始すると共に、前記相手側能力格納テーブル４０に前記受信側端末１２の電話番号と該電話番号による発呼が非制限ディジタル情報により開通したことによる能力情報を格納する。
【００１８】
この様に本実施形態によるＩＳＤＮ通信システムは、最初の発呼５０において非制限ディジタル情報を指定した発呼を行い、当該発呼５１に対して所定時間内に応答がないことを交換局２１から通知された場合、情報転送能力を切り替えて再度の発呼を行い、通信５８が確立した場合、通信５８が確立した情報転送能力と対応の電話番号を相手側能力格納テーブル４０に格納する様に動作し、この音声情報の指定によっても通信が確立しない場合は、3.1KHzオーディオディジタル情報に切り替えて再度の発呼を試みる様に動作し、これら動作によって相手側の情報転送能力に係わらず人手を介することなく、通信を確立することができる。
【００１９】
また本実施形態によるＩＳＤＮ通信システムは、次回の受信側端末１２に対する発呼が指示された場合、前記相手側能力格納テーブル４０から電話番号をキーとして相手側端末の情報転送能力を読み出し、この読み出した情報転送能力を指定して相手側端末１２への発呼を行う様に動作することにより、次回の通信においては迅速に通信を開始することができる。また、最初の通信障害が事故であり、復旧した際には情報転送能力を切り替えて本来の通信を再開することもできる。
【００２０】
従って本実施形態によるＩＳＤＮ通信システムは、情報転送能力を指定した発呼を行い、当該発呼に対する応答が所定時間内にない場合、他の情報転送能力を指定した発呼を試みると共に、通信が確立した発呼に対応した情報転送能力を相手電話番号と共に格納し、次回の発呼に参照して発呼することによって、発信者３０は相手側端末１２の情報転送能力を意識することなく、相手への接続を確立することができる。即ち、本実施形態によるＩＳＤＮ通信システム及びＩＳＤＮ通信方法は、発信側で相手側の情報転送能力を判定し、該認定した情報転送能力に応じた発呼を行うことができる。
【図面の簡単な説明】
【００２１】
【図１】本発明の一実施形態によるＩＳＤＮ通信システムの全体構成を示す図。
【図２】本実施形態による通信経緯を説明するためのフロー図。
【符号の説明】
【００２２】
１１：送信側端末，１２：受信側端末，２０：ＩＳＤＮ網，２１：交換局，３０：発信者，３１：受信者，４０：相手側能力格納テーブル，５０：発呼，５１：発呼，５２：応答，５３：通知，５４：発呼，５５：発呼，５６：応答，５７：応答，５８：通信。
【図１】
2005065041.tif 000003
【図２】
2005065041.tif 000004